(57)【要約】【課題】  現在の器具にはワンタッチ操作機構がないため傘の位置調整に手間どい不便である。又、器具の取り付け位置は自転車のハンドル部のためハンドルを左右に操作した時、傘も同時に追従し、傘がゆれ危険である。【解決手段】  本考案の器具はワンタッチ操作が可能で傘の位置調整が自転車運転中でも簡単に自在にワンタッチで思い通りに操作できる。又、自転車に取り付ける位置はハンドル部でなくハンドル保持パイプとサドル保持パイプとの連結パイプの前方の位置に取り付けた。従ってハンドルを左右に振っても傘はゆれることなく安全である。【選択図】  図１
0003107311.tif 000002
【実用新案登録請求の範囲】
【請求項１】
傘取り付け器具本体を、自転車に取り付けるために、支柱とＵボルトを設け、支柱の先端にレバーを取り付け、当該レバーの端面に回転軸を設け、回転軸の上部にホルダーを取り付け、ホルダーに傘を取り付けるためのアングルを設けた。尚、器具全体の取り付け位置は、自転車本体のハンドル部以外のハンドル保持パイプとサドル保持パイプとの連結パイプの前方の位置へＵボルトで器具全体を取り付け、器具に取り付けた傘が上下、左右、前後、斜めと自在にワンタッチで操作できることを特徴とするところの自転車用傘取り付け器具と取り付け位置
【考案の詳細な説明】
【考案の詳細な説明】
【技術分野】
【０００１】  本考案は自転車に傘を取り付けるための器具と取り付け位置に関するものである
【背景技術】
【０００２】  傘取り付け器具は、ワンタッチ操作機構がなかった。又、器具の取り付け位置は自転車のハンドル部であった。
【考案が解決しようとする課題】
【０００３】  ワンタッチ操作機構がないと、傘の位置調整に手間どり不便である。又、器具の取り付け位置は自転車のハンドル部のため、ハンドルを左右に操作した時、傘も同時に追従し傘がゆれ危険である。従って、ワンタッチ操作機構を設けることにより、自転車運転中でも傘を思い通りワンタッチで自在に操作ができ便利である。又、取り付け位置は自転車のハンドル以外の場所、具体的にはハンドル保持パイプと、サドル保持パイプとの、連結パイプの前方の位置に取り付けることにより、ハンドルを左右に振っても傘はそのまま動かず、安定性があり安全なため、前述の欠点を解消しようとするものである。
【課題を解決するための手段】
【０００４】  本考案は、器具全体を自転車に取り付けるため支柱を設け、その支柱にＵボルトの通る穴をあけ、支柱の端面には傘が上下に操作できるレバーを取り付け、レバーの片面には傘が前後、左右、に操作する回転軸を設け、その回転軸の上部に傘が前後、左右に傾斜できるホルダーを取り付けホルダーには傘を固定するアングルを取り付け、この器具全体を自転車のハンドル以外のハンドル保持パイプと、サドル保持パイプとの連結パイプの前方の位置にＵボルトで器具を取り付けることにより問題点を解決している。
【考案を実施するための最良の形態】
【０００５】  傘取り付け器具本体の支柱の２個の穴にＵボルトを差し込んで自転車のハドル保持パイプとサドル保持パイプとの連結パイプの前方の位置へ固定し、支柱の端面には直角にひねったレバーを取り付け、ねじの締め加減によりレバーは上下運動でき、レバーの片面には回転軸を取り付けねじの締め加減により回転が可能になる。回転軸の上部にはホルダーをはめ込み締め付けねじの締め加減によりホルダーは回転する。ホルダーには傘を取り付け部のアングルの軸が入る穴があり、その穴にはめ込んだアングルの軸を締め込んだねじの加減により回転することができる。アングルは傘の柄の部分を固定するためＶ形にくぼみを持たせ、Ｖ形のくぼみに入れた傘の柄は押さえ板をクランプレバーで締め付けることにより傘を固定することができる。
【実施例】
【０００６】  以下、添付図面に従って実施例を説明する。
１は自転車に取り付ける支柱、２はＵボルトで支柱１の２ケ所の穴へ通し１７の自転車のハンドル保持パイプとサドル保持パイプとの連結パイプの前方の位置に取り付け３のナットで締め付ける。４はレバーで直角にひねってあり支柱１の端面に取り付け傘の上下と回転軸７の保持の役目をする。５はボルトでレバー４の上下運動の調整で６の止めねじで固定する。
７の回転軸は１回転でき傘の前後、左右運動の役目をする。８はボルトで７の回転軸の調整で９の止めねじで固定する。
１０はホルダーで回転軸７の外径にはめ込み１２のアングルの保持と傘の左右方向の傾斜の役目をし、１１の止めねじで適正な強さで調整する。
１２はアングルで傘の柄を入れ１４の押さえ板を１５のクランプレバーで締め付けることで傘が固定できる。又、１３はボルトでアングルの軸１６の外径を締め傘の前後傾斜の調整の役目である。【０００７】  １７は自転車のハンドル保持パイプとサドル保持パイプとの連結バイプで、このパイプの前方の位置に器具全体を取り付け、傘を取り付けることにより、自転車のハンドルを左右に振っても傘はゆれることはない。
【考案の効果】
【０００８】  上述のように、本考案の自転車用傘取り付け器具と取り付け位置は、自転車に傘を取り付けることはもち論のこと器具全体がワンタッチで操作できる機構を設けたので、自転車運転中でも傘の上下、前後、左右、斜め方向すべてワンタッチで自在に操作が可能で利便性がある。又、取り付け位置は自転車のハンドル部以外のためハンドルを左右に振っても傘は動かず安全運転に役立つ。
【図面の簡単な説明】
【図１】本考案の自転車用傘取り付け器具の全体図である。
【図２】本器具の取り付け位置と傘使用時の傘取り付け図である。
【図３】傘使用以外時の器具の状態図である。
【符号の説明】
１  支柱      ２  Ｕボルト    ３  ナット      ４  レバー
５  ボルト    ６  止めねじ    ７  回転軸      ８  ボルト
９  止めねじ  １０  ホルダー  １１  止めねじ  １２  アングル
１３  ボルト  １４  押さえ板  １５  クランプレバー
１６  アングルの軸
１７  自転車のハンドル保持パイプとサドル保持パイプとの連結パイプ
【図１】
0003107311.tif 000003
【図２】
0003107311.tif 000004
【図３】
0003107311.tif 000005
【手続補正書】
【提出日】平成16年2月16日(2004.2.16)
【手続補正１】
【補正対象書類名】実用新案登録請求の範囲
【補正対象項目名】全文
【補正方法】変更
【補正の内容】
【実用新案登録請求の範囲】
【請求項１】
傘取り付け器具下部の支柱にＵボルトを設け、支柱の端面にはレバーを設けた。当該レバーには回転軸を設け、回転軸の上部にはホルダーとアングルと押さえ板にクランプレバーを設けた。これらの構造により傘が上下、左右、前後、斜と自在にワンタッチで操作ができるところが特徴である。
「尚、自転車に取り付けることにおいては」
１  器具の下部は自転車のハンドル以外の本体のパイプに取り付ける。
２  器具の上部には傘を取り付ける。
以上からなる自転車用傘取り付け器具。
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
傘取り付け器具本体を、自転車に取り付けるため、支柱と
Ｕボルトを設け、支柱の端面にレバーを取り付け、当該レバーの端面に回転軸を設け、回転軸の上部にホルダーを取り付け、ホルダーに傘を取り付けるためのアングルとクランプ板とクランプレバーを設けた。
【請求項２】
器具全体の取り付け位置は、自転車本体のハンドル部以外の
ハンドル保持パイプとサドル保持パイプとの前方の位置へＵボルトで器具全体を取り付けることで傘が上下、左右、斜めと自在にワンタッチで操作できることを特徴とするところの自転車用傘取り付け器具と取り付け位置。
【手続補正書】
【提出日】平成16年9月27日(2004.9.27)
【手続補正１】
【補正対象書類名】実用新案登録請求の範囲
【補正対象項目名】全文
【補正方法】変更
【補正の内容】
【実用新案登録請求の範囲】
【請求項１】
傘取り付け器具本体を、自転車に取り付けるため、支柱と
Ｕボルトを設け、支柱の端面にレバーを取り付け、当該レバーの端面に回転軸を設け、回転軸の上部にホルダーを取り付け、ホルダーに傘を取り付けるためのアングルとクランプ板とクランプレバーを設けたところの自転車用傘取付け器具
【請求項２】
器具全体の取り付け位置は、自転車本体のハンドル部以外の
ハンドル保持パイプとサドル保持パイプとの前方の位置へＵボルトで器具全体を取り付けることで傘が上下、左右、斜めと自在にワンタッチで操作できることを特徴とし、請求項１記載の自転車用傘取付け器具。